(57)【特許請求の範囲】
【請求項１】
現金管理装置本体と、
該現金管理装置本体に引き出し可能に設けられる収納庫と、を有する現金管理装置であって、
底部と、前記底部の周縁部から該底部に垂直に延出する壁部とを有して１カ所に複数本の棒金を前記底部から立ち上がる姿勢で収納可能な棒金収納凹部が前記収納庫に設けられており、
前記棒金収納凹部は前記底部を水平に対し傾斜させていて、
前記収納庫には、前記棒金収納凹部が複数設けられており、
これら棒金収納凹部のうち、少なくとも１つが前記底部を水平に対し傾斜させており、少なくとも他の１つが前記底部を水平に配置していて、
前記底部を水平に対し傾斜させている前記棒金収納凹部を有する棒金トレイと、前記底部を水平に配置している前記棒金収納凹部を有する棒金トレイとが、共通部品であることを特徴とする現金管理装置。
【請求項２】
現金管理装置本体と、
該現金管理装置本体に引き出し可能に設けられる収納庫と、を有する現金管理装置であって、
底部と、前記底部の周縁部から該底部に垂直に延出する壁部とを有して１カ所に複数本の棒金を前記底部から立ち上がる姿勢で収納可能な棒金収納凹部が前記収納庫に設けられており、
前記棒金収納凹部は前記底部を水平に対し傾斜させていて、
前記底部を水平に対し傾斜させている前記棒金収納凹部は、前記収納庫の引き出し方向の前方から見て前記底部を左下がりに傾斜させていることを特徴とする現金管理装置。
【請求項３】
現金管理装置本体と、
該現金管理装置本体に引き出し可能に設けられる収納庫と、を有する現金管理装置であって、
底部と、前記底部の周縁部から該底部に垂直に延出する壁部とを有して１カ所に複数本の棒金を前記底部から立ち上がる姿勢で収納可能な棒金収納凹部が前記収納庫に設けられており、
前記棒金収納凹部は前記底部を水平に対し傾斜させていて、
前記底部を水平に対し傾斜させている前記棒金収納凹部は、前記収納庫の引き出し方向の前方から見て前記底部を右下がりに傾斜させていることを特徴とする現金管理装置。
【請求項４】
前記収納庫には、前記棒金収納凹部が複数設けられており、
これら棒金収納凹部のうち、少なくとも１つが前記底部を水平に対し傾斜させており、少なくとも他の１つが前記底部を水平に配置していることを特徴とする請求項２または３記載の現金管理装置。
【請求項５】
前記底部を水平に対し傾斜させている前記棒金収納凹部を有する棒金トレイと、前記底部を水平に配置している前記棒金収納凹部を有する棒金トレイとが、共通部品であることを特徴とする請求項４記載の現金管理装置。
【請求項６】
現金管理装置本体と、
該現金管理装置本体に引き出し可能に設けられる収納庫と、を有する現金管理装置であって、
底部と、前記底部の周縁部から該底部に垂直に延出する壁部とを有して１カ所に複数本の棒金を前記底部から立ち上がる姿勢で収納可能な棒金収納凹部が前記収納庫に、該収納庫の引き出し方向に並んで１列状に複数設けられており、
これら棒金収納凹部のうち、前記収納庫の引き出し方向の最も前側の１つが前記底部を水平に対し傾斜させており、残りが前記底部を水平に配置していることを特徴とする現金管理装置。
【請求項７】
前記底部を水平に対し傾斜させている前記棒金収納凹部を有する棒金トレイと、前記底部を水平に配置している前記棒金収納凹部を有する棒金トレイとが、共通部品であることを特徴とする請求項６記載の現金管理装置。
【請求項８】
前記底部を水平に対し傾斜させている前記棒金収納凹部は、前記収納庫の引き出し方向を基準として前記底部を後下がりに傾斜させていることを特徴とする請求項１乃至７のいずれか一項記載の現金管理装置。
【請求項９】
前記底部を水平に対し傾斜させている前記棒金収納凹部は、前記収納庫の引き出し方向を基準として前記底部を前下がりに傾斜させていることを特徴とする請求項１乃至８のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、１カ所の棒金収納凹部に満杯で棒金を１０本収納する棒金トレイと、１カ所の棒金収納凹部に満杯にできない１０本未満の端数の棒金を収納する棒金トレイとが金種別に用意されている。端数収納用の棒金トレイは、棒金収納凹部の中間位置に棒金の倒れを抑制するための補助棒を有している。
【先行技術文献】
【特許文献】
【０００３】
【特許文献１】特開２０１３−１１８０１６号公報
【発明の概要】
【発明が解決しようとする課題】
【０００４】
上記の現金管理装置において、端数収納用の棒金トレイは、棒金の倒れを抑制するための補助棒を有しているため、コスト高になってしまう。
【０００５】
本発明は、上記の点に鑑みなされたもので、コストを低減することが可能な現金管理装置の提供を目的とする。
【課題を解決するための手段】
【０００６】
上記目的を達成するために、請求項１に係る発明は、現金管理装置本体と、該現金管理装置本体に引き出し可能に設けられる収納庫と、を有する現金管理装置であって、底部と、前記底部の周縁部から該底部に垂直に延出する壁部とを有して１カ所に複数本の棒金を前記底部から立ち上がる姿勢で収納可能な棒金収納凹部が前記収納庫に設けられており、前記棒金収納凹部は前記底部を水平に対し傾斜させていることを特徴とする。
【０００７】
請求項１に係る発明は、前記収納庫には、前記棒金収納凹部が複数設けられており、これら棒金収納凹部のうち、少なくとも１つが前記底部を水平に対し傾斜させており、少なくとも他の１つが前記底部を水平に配置していることを特徴とする。
【０００８】
請求項１に係る発明は、前記底部を水平に対し傾斜させている前記棒金収納凹部を有する棒金トレイと、前記底部を水平に配置している前記棒金収納凹部を有する棒金トレイとが、共通部品であることを特徴とする。
請求項２に係る発明は、現金管理装置本体と、該現金管理装置本体に引き出し可能に設けられる収納庫と、を有する現金管理装置であって、底部と、前記底部の周縁部から該底部に垂直に延出する壁部とを有して１カ所に複数本の棒金を前記底部から立ち上がる姿勢で収納可能な棒金収納凹部が前記収納庫に設けられており、前記棒金収納凹部は前記底部を水平に対し傾斜させていて、前記底部を水平に対し傾斜させている前記棒金収納凹部は、前記収納庫の引き出し方向の前方から見て前記底部を左下がりに傾斜させていることを特徴とする。
請求項３に係る発明は、現金管理装置本体と、該現金管理装置本体に引き出し可能に設けられる収納庫と、を有する現金管理装置であって、底部と、前記底部の周縁部から該底部に垂直に延出する壁部とを有して１カ所に複数本の棒金を前記底部から立ち上がる姿勢で収納可能な棒金収納凹部が前記収納庫に設けられており、前記棒金収納凹部は前記底部を水平に対し傾斜させていて、前記底部を水平に対し傾斜させている前記棒金収納凹部は、前記収納庫の引き出し方向の前方から見て前記底部を右下がりに傾斜させていることを特徴とする。
請求項４に係る発明は、請求項２または３に係る発明において、前記収納庫には、前記棒金収納凹部が複数設けられており、これら棒金収納凹部のうち、少なくとも１つが前記底部を水平に対し傾斜させており、少なくとも他の１つが前記底部を水平に配置していることを特徴とする。
請求項５に係る発明は、請求項４に係る発明において、前記底部を水平に対し傾斜させている前記棒金収納凹部を有する棒金トレイと、前記底部を水平に配置している前記棒金収納凹部を有する棒金トレイとが、共通部品であることを特徴とする。
請求項６に係る発明は、現金管理装置本体と、該現金管理装置本体に引き出し可能に設けられる収納庫と、を有する現金管理装置であって、底部と、前記底部の周縁部から該底部に垂直に延出する壁部とを有して１カ所に複数本の棒金を前記底部から立ち上がる姿勢で収納可能な棒金収納凹部が前記収納庫に、該収納庫の引き出し方向に並んで１列状に複数設けられており、これら棒金収納凹部のうち、前記収納庫の引き出し方向の最も前側の１つが前記底部を水平に対し傾斜させており、残りが前記底部を水平に配置していることを特徴とする。
請求項７に係る発明は、請求項６に係る発明において、前記底部を水平に対し傾斜させている前記棒金収納凹部を有する棒金トレイと、前記底部を水平に配置している前記棒金収納凹部を有する棒金トレイとが、共通部品であることを特徴とする。
【０００９】
請求項８に係る発明は、請求項１乃至７のいずれか一項に係る発明において、前記底部を水平に対し傾斜させている前記棒金収納凹部は、前記収納庫の引き出し方向を基準として前記底部を後下がりに傾斜させていることを特徴とする。
【００１０】
請求項９に係る発明は、請求項１乃至８のいずれか一項に係る発明において、前記底部を水平に対し傾斜させている前記棒金収納凹部は、前記収納庫の引き出し方向を基準として前記底部を前下がりに傾斜させていることを特徴とする。
【発明の効果】
【００１３】
請求項１，２，３，６に係る発明によれば、収納庫に設けられる棒金収納凹部は、底部と、この底部の周縁部から底部に垂直に延出する壁部とを有して１カ所に複数本の棒金を底部から立ち上がる姿勢で収納可能となっている。そして、この棒金収納凹部が底部を水平に対し傾斜させており、その結果、壁部を鉛直に対し傾斜させている。これにより、棒金収納凹部に満杯に棒金を収納しなくても、棒金は、底部の傾斜の下側に位置する壁部あるいは他の棒金に当接して立てかけられた状態となり、底部の傾斜の上側への倒れが抑制される。よって、棒金収納凹部の中間位置に棒金の倒れを抑制する部品を設けなくても棒金の倒れを抑制することができる。したがって、コストを低減することが可能となる。
【００１４】
請求項１，４，６に係る発明によれば、収納庫に設けられる複数の棒金収納凹部のうち、少なくとも１つが底部を水平に対し傾斜させており、少なくとも他の１つが底部を水平に配置しているため、底部を水平に対し傾斜させている棒金収納凹部を満杯状態にならない端数の棒金の収納用とし、底部を水平に配置している棒金収納凹部を満杯状態の棒金の収納用とすることができる。これにより、棒金収納凹部を満杯状態にできない端数の棒金の倒れを抑制しつつ、満杯状態の棒金をまとめて取り出す作業の作業性を向上させることができる。
【００１５】
請求項１，５，７に係る発明によれば、棒金収納凹部の底部を水平に対し傾斜させている棒金トレイと、棒金収納凹部の底部を水平に配置している棒金トレイとが、共通部品であるため、さらにコストを低減することが可能になる。
請求項２に係る発明によれば、棒金収納凹部は、収納庫の引き出し方向の前方から見て底部を左下がりに傾斜させているため、すべての棒金の上面が左方から目視可能となる。よって、左方からの棒金の収納数の目視確認が容易となる。したがって、左側にいる操作者の使い勝手性が向上する。
請求項３に係る発明によれば、棒金収納凹部は、収納庫の引き出し方向の前方から見て底部を右下がりに傾斜させているため、すべての棒金の上面が右方から目視可能となる。よって、右方からの棒金の収納数の目視確認が容易となる。したがって、右側にいる操作者の使い勝手性が向上する。
【００１６】
請求項８に係る発明によれば、棒金収納凹部は、収納庫の引き出し方向を基準として底部を後下がりに傾斜させているため、棒金は、収納庫の引き出し方向の後側へ寄せられて収納されることになる。よって、収納庫の引き出し方向の前側にある棒金から取り出せば残りの棒金を倒さずに棒金を取り出すことができる。したがって、棒金を円滑に取り出すことができ、使い勝手性が向上する。
【００１７】
請求項９に係る発明によれば、棒金収納凹部は、収納庫の引き出し方向を基準として底部を前下がりに傾斜させているため、すべての棒金の上面が前方から目視可能となる。よって、棒金の収納数の前方からの目視確認が容易となる。したがって、使い勝手性が向上する。
【図面の簡単な説明】
【００２０】
【図１】本発明の第１実施形態に係る現金管理装置を示す斜視図である。
【図２】本発明の第１実施形態に係る現金管理装置を示す要部の制御系ブロック図である。
【図３】本発明の第１実施形態に係る現金管理装置の棒金収納庫を示す部分側断面図である。
【図４】本発明の第１実施形態に係る現金管理装置の棒金収納庫を示す部分平面図である。
【図５】本発明の第２実施形態に係る現金管理装置の棒金収納庫を示す部分側断面図である。
【図６】本発明の第３実施形態に係る現金管理装置の棒金収納庫を示す正断面図である。
【図７】参考技術の現金管理装置の棒金収納庫を示す正断面図である。
【図８】他の参考技術の現金管理装置の棒金収納庫を示す正断面図である。
【発明を実施するための形態】
【００２１】
本発明の第１実施形態に係る現金管理装置を図１〜図４を参照して以下に説明する。
【００２２】
図１に示す第１実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００２３】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、現金管理装置１０の前方に引き出されることで内部にアクセス可能となるように開かれ、現金管理装置１０の後方に押し込まれると内部にアクセス不可となるように閉じられる。このように前後方向にのみ所定範囲でスライド可能となるように、各収納庫１２は現金管理装置本体１１に連結されている。以下の前および後は、現金管理装置１０の前および後であり、収納庫１２の引き出し方向の前および後と一致する。
【００２４】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２５】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２６】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２７】
収納庫１２は、図１に示すように取っ手３０が中央に設けられた前板部３１と、前板部３１の左右両側から図３に示すように後方に延出する一対（図３において一方のみ図示）の側板部３２と、一対の側板部３２の後端部同士を連結する図示略の後板部と、これらで囲まれる空間部分の下部開口を閉塞する底板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が現金管理装置本体１１に連結されていて、これにより現金管理装置本体１１に対して引き出し可能となっている。
【００２８】
図３に示すように、棒金収納庫１２（Ｃ）は、棒金Ｂを入出庫可能に収納するものである。棒金収納庫１２（Ｃ）は、枠体３４に取り付けられて固定される支持ベース４０と、棒金Ｂを収納可能であって支持ベース４０に取り付けられて固定される複数の合成樹脂製の棒金トレイ５０とを有している。なお、一つの棒金収納庫１２（Ｃ）に対し、前後に１列状に複数の棒金トレイ５０が設けられており、図示は略すが、このような列が左右に複数列設けられている。例えば、一つの棒金収納庫１２（Ｃ）に、前後に金種径に応じて６つまたは５つ、左右に４列の棒金トレイ５０が設けられている。
【００２９】
ここで、各棒金トレイ５０は、それぞれ予め設定された単一の収納対象金種の棒金Ｂのみが収納されるように決められている。また、左右方向における同列に配置されて前後に１列に並ぶ複数の棒金トレイ５０は、全て収納対象金種が同一金種となっている。例えば、図１に示す３段の棒金収納庫１２（Ｃ）のうちの最も上段の棒金収納庫１２（Ｃ）は、最も左側および左から２番目の２列の棒金トレイ５０が共に１円棒金収納用、最も右側および右から２番目の２列の棒金トレイ５０が共に５円棒金収納用となっている。また、３段の棒金収納庫１２（Ｃ）のうちの上から２段目の棒金収納庫１２（Ｃ）は、最も左側および左から２番目の２列の棒金トレイ５０が共に１０円棒金収納用、最も右側および右から２番目の２列の棒金トレイ５０が共に５０円棒金収納用となっている。また、３段の棒金収納庫１２（Ｃ）のうちの最下段の棒金収納庫１２（Ｃ）は、最も左側および左から２番目の２列の棒金トレイ５０が共に１００円棒金収納用、最も右側および右から２番目の２列の棒金トレイ５０が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。また、左右方向における同列に配置されて前後に１列に並ぶ複数の棒金トレイ５０は、必ずしも全て収納対象金種が同一金種となっていなくても良い。
【００３０】
図３に示すように、棒金Ｂは、単一金種の硬貨Ｃを所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。棒金Ｂには、包装紙の余長部分を加締めた加締部Ｋが軸方向両端部に形成されている。加締部Ｋは、棒金Ｂの外径と略同径で棒金Ｂの中心軸を中心とする円環状をなして棒金Ｂの軸方向両側に所定長さ突出している。
【００３１】
１つの棒金収納庫１２（Ｃ）に設けられる複数の棒金トレイ５０は、下方に凹む上方開口形状をなして１カ所に複数本の棒金Ｂを収納可能な棒金収納凹部５１をそれぞれが有している。よって、１つの棒金収納庫１２（Ｃ）に複数の棒金収納凹部５１が設けられている。棒金Ｂは、棒金収納凹部５１に、その上部開口を介して上側から挿入されることになり、上方に引き抜かれて取り出されることになる。
【００３２】
１つの棒金トレイ５０には、複数の棒金Ｂを収納する棒金収納凹部５１が１カ所のみ設けられている。つまり、１つの棒金トレイ５０には棒金Ｂを収納する部分がこの棒金収納凹部５１以外にはない。棒金トレイ５０は、基本形状は金種によらず同様の形状となっており、棒金収納凹部５１が収納対象金種に応じた大きさとなっている。
【００３３】
棒金収納凹部５１は、図４に示すように、円筒を一部切り取った形状の湾曲面５３を、複数具体的には左側の３カ所と右側の３カ所と前端の１カ所と後端の１カ所との８カ所に有する囲壁面５４を備えた筒状の壁部５５と、壁部５５の下部を閉塞する底部５８とを有している。壁部５５は、底部５８の周縁部に立設されており、底部５８の周縁部から、図３に示すように底部５８に対し垂直をなして延出している。
【００３４】
図４に示すように、湾曲面５３は左側の３カ所が左右方向の位置を合わせて前後に並んでおり、右側の３カ所も左右方向の位置を合わせて前後に並んでいる。左右前端の湾曲面５３は前後方向の位置を合わせており、中央前端の湾曲面５３はこれらよりも前側に配置されている。左右後端の湾曲面５３は前後方向の位置を合わせており、中央後端の湾曲面５３はこれらよりも後側に配置されている。
【００３５】
底部５８には、各湾曲面５３と同心をなす８カ所と、これらの内側の前後２カ所との合計１０カ所に、棒金Ｂを載置させる短円柱状の座部６０が、これら座部６０の周囲にある底部５８の最深面５９から最深面５９に対し垂直をなして上方に突出して形成されている。このように複数設けられた座部６０は、左側の３カ所が左右方向の位置を合わせて前後１列に等間隔で並べられており、左右方向中央の４カ所が左右方向の位置を合わせて前後１列に等間隔で並べられていて、右側の３カ所が左右方向の位置を合わせて前後１列に等間隔で並べられている。
【００３６】
一つの棒金トレイ５０において、すべての座部６０の上面６１は同一平面上に配置されており、底部５８の最深面５９と平行をなしている。底部５８の上面を主体的に構成する最深面５９およびすべての上面６１に対して、壁部５５の囲壁面５４が垂直をなしている。
【００３７】
座部６０には、これに載置された棒金Ｂの磁気情報を検出する磁気センサ６５が、水平方向の中央に埋設されている。図３に示すように、１つの棒金トレイ５０に取り付けられたすべての磁気センサ６５は１つの配線基板６６に取り付けられており、この配線基板６６が底部５８の下面側に取り付けられることですべての磁気センサ６５がそれぞれ対応する座部６０に配置される。磁気センサ６５は、座部６０の上面６１よりも下側に設けられている。
【００３８】
座部６０の外径は、棒金Ｂの加締部Ｋの内径よりも小さくされており、座部６０の最深面５９からの突出高さは加締部Ｋの最も近い硬貨Ｃからの突出高さよりも大きくなっている。これにより、座部６０は、棒金Ｂが載置される際に、棒金Ｂの加締部Ｋを逃げて、棒金Ｂの最下の硬貨Ｃを直接支持するようになっている。
【００３９】
棒金トレイ５０は、壁部５５の棒金収納凹部５１とは反対側の外周面から棒金収納凹部５１とは反対方向に延出する基板部６８を有している、基板部６８は底部５８と平行をなしており、図４に示すように外周縁部が矩形状をなしている。
【００４０】
１つの棒金収納庫１２（Ｃ）に左右方向における同列に配置されて前後に並んで設けられる棒金トレイ５０は、全て収納対象金種が同一金種となっている。各列の最も前側の棒金トレイ５０は、収納本数が不足した状態でも棒金Ｂを倒さずに収納可能な端数収納用となっている。また、各列の最も前側を除く棒金トレイ５０は、収納本数が不足した状態では棒金Ｂが倒れてしまうため満杯状態で収納することが決められた満杯収納用となっている。つまり、最も前側を除く棒金トレイ５０には必ず棒金Ｂを満杯状態つまり１０本収納し、棒金Ｂを満杯状態以外で収納する場合には、最も前側の棒金トレイ５０に収納することがルール化されており、操作者である係員は、最も前側の棒金トレイ５０から棒金Ｂを必要数だけ取り出し、最も前側の棒金トレイ５０が空になり、その後側の棒金トレイ５０から棒金Ｂを取り出す場合には、この後側の棒金トレイ５０の残りの端数の棒金Ｂを、最も前側の棒金トレイ５０に移載するようになっている。
【００４１】
ここで、収納対象金種が同一金種である場合、形状および大きさが同じ共通部品の棒金トレイ５０が端数収納用と満杯収納用とに共用されている。つまり、端数収納用の棒金トレイ５０は、その底部５８を水平に対し傾斜させて支持ベース４０に取り付けられることで収納本数が不足した状態でも棒金Ｂを倒さずに収納可能になる。満杯収納用の棒金トレイ５０は、その底部５８を水平に配置して支持ベース４０に取り付けられることで収納本数が不足した状態では収納している棒金Ｂが倒れてしまうように収納する。言い換えれば、収納対象金種が同一金種である場合、底部５８を水平に対し傾斜させている棒金収納凹部５１を有する棒金トレイ５０と、底部５８を水平に配置している棒金収納凹部５１を有する棒金トレイ５０とが、共通部品になっている。
【００４２】
支持ベース４０は、各列の最も前側の端数収納用の棒金トレイ５０を支持する傾斜支持部７１が、前後方向から見て水平に対し傾斜しない状態で、後下がりに傾斜しており、この傾斜支持部７１に棒金トレイ５０の基板部６８が固定されている。
【００４３】
よって、傾斜支持部７１に取り付けられた状態の端数収納用の棒金トレイ５０の棒金収納凹部５１は、その底部５８が、前後方向から見て水平に対し傾斜しない状態で、棒金収納庫１２（Ｃ）の引き出し方向を基準として、後下がりに傾斜しており、その壁部５５が、前後方向から見て鉛直に対し傾斜しない状態で、棒金収納庫１２（Ｃ）の引き出し方向を基準として、後上がりに傾斜している。つまり、端数収納用の棒金トレイ５０は、その底部５８が後側（奥側）ほど下側に位置するように傾斜しており、その壁部５５が後側（奥側）ほど上側に位置するように傾斜している。傾斜支持部７１に支持された棒金トレイ５０は、底部５８が水平に対し４５度より小さい角度（例えば３０度）をなすように傾斜している。傾斜支持部７１に支持された棒金トレイ５０は、底部５８の最深面５９および座部６０の上面６１が、前後方向から見て水平に対し傾斜しない状態で後下がりに傾斜しており、その壁部５５の囲壁面５４が、前後方向から見て鉛直に対し傾斜しない状態で後上がりに傾斜している。
【００４４】
このように支持ベース４０の傾斜支持部７１に取り付けられた棒金トレイ５０の棒金収納凹部５１に空の状態から１本目の棒金Ｂを収納する場合、まず、最も後側（下側）の座部６０に、この座部６０を加締部Ｋで覆うようにして１本目の棒金Ｂを載置させながら、この１本目の棒金Ｂの外周面を、その下側にある壁部５５の最も後側（下側）の湾曲面５３に支持させる。すると、この１本目の棒金Ｂは、この最も後側の湾曲面５３に立てかけられた状態となり、底部５８から略垂直に立ち上がる姿勢で、最も後側の座部６０に最下の硬貨Ｃを接触させて載置される。
【００４５】
２本目の棒金Ｂを収納する場合、後から２番目の左右いずれか一方の座部６０に、この座部６０を加締部Ｋで覆うようにして２本目の棒金Ｂを載置させながら、この２本目の棒金Ｂの外周面を、その下側にある壁部５５の後から２番目の左右いずれか一方の湾曲面５３および１本目の棒金Ｂの外周面に支持させる。すると、この２本目の棒金Ｂは、これら湾曲面５３および１本目の棒金Ｂに立てかけられた状態となり、底部５８から略垂直に立ち上がる姿勢で、後から２番目の左右いずれか一方の座部６０に最下の硬貨Ｃを接触させて載置される。
【００４６】
３本目の棒金Ｂを収納する場合、後から２番目の左右いずれか他方の座部６０に、この座部６０を加締部Ｋで覆うようにして３本目の棒金Ｂを載置させながら、この３本目の棒金Ｂの外周面を、その下側にある壁部５５の後から２番目の左右いずれか他方の湾曲面５３および１本目の棒金Ｂの外周面に支持させる。すると、この３本目の棒金Ｂは、これら湾曲面５３および１本目の棒金Ｂに立てかけられた状態となり、底部５８から略垂直に立ち上がる姿勢で、後から２番目の左右いずれか他方の座部６０に最下の硬貨Ｃを接触させて載置される。
【００４７】
４本目の棒金Ｂを収納する場合、後から４番目の座部６０に、この座部６０を加締部Ｋで覆うようにして４本目の棒金Ｂを載置させながら、この４本目の棒金Ｂの外周面を、その下側にある１〜３本目の棒金Ｂの外周面に支持させる。すると、この４本目の棒金Ｂは、１〜３本目の棒金Ｂに立てかけられた状態となり、底部５８から略垂直に立ち上がる姿勢で、後から４番目の座部６０に、最下の硬貨Ｃを接触させて載置される。
【００４８】
５本目の棒金Ｂを収納する場合、後から５番目の左右方向いずれか一方の座部６０に、この座部６０を加締部Ｋで覆うようにして５本目の棒金Ｂを載置させながら、この５本目の棒金Ｂの外周面を、その下側にある２，３本目のいずれか一方の棒金Ｂの外周面および４本目の棒金Ｂの外周面と、左右方向に隣り合う湾曲面５３とに支持させる。すると、この５本目の棒金Ｂは、２，３本目のいずれか一方の棒金Ｂ、４本目の棒金Ｂおよび左右方向に隣り合う湾曲面５３に立てかけられた状態となり、底部５８から略垂直に立ち上がる姿勢で、後から５番目の左右いずれか一方の座部６０に最下の硬貨Ｃを接触させて載置される。
【００４９】
６本目の棒金Ｂを収納する場合、後から５番目の左右方向いずれか他方の座部６０に、この座部６０を加締部Ｋで覆うようにして６本目の棒金Ｂを載置させながら、この６本目の棒金Ｂの外周面を、その下側にある２，３本目のいずれか他方の棒金Ｂの外周面および４本目の棒金Ｂの外周面と、左右方向に隣り合う湾曲面５３とに支持させる。すると、この６本目の棒金Ｂは、２，３本目のいずれか他方の棒金Ｂ、４本目の棒金Ｂおよび左右方向に隣り合う湾曲面５３に立てかけられた状態となり、底部５８から略垂直に立ち上がる姿勢で、後から５番目の左右いずれか他方の座部６０に最下の硬貨Ｃを接触させて載置される。
【００５０】
７本目の棒金Ｂを収納する場合、後から７番目の座部６０に、この座部６０を加締部Ｋで覆うようにして７本目の棒金Ｂを載置させながら、この７本目の棒金Ｂの外周面を、その下側にある４〜６本目の棒金Ｂの外周面に支持させる。すると、この７本目の棒金Ｂは、４〜６本目の棒金Ｂに立てかけられた状態となり、底部５８から略垂直に立ち上がる姿勢で、後から７番目の座部６０に最下の硬貨Ｃを接触させて載置される。
【００５１】
８本目の棒金Ｂを収納する場合、後から８番目の左右方向いずれか一方の座部６０に、この座部６０を加締部Ｋで覆うようにして８本目の棒金Ｂを載置させながら、この８本目の棒金Ｂの外周面を、その下側にある５，６本目のいずれか一方の棒金Ｂの外周面および７本目の棒金Ｂの外周面と、左右方向に隣り合う湾曲面５３とに支持させる。すると、この８本目の棒金Ｂは、５，６本目のいずれか一方の棒金Ｂ、７本目の棒金Ｂおよび左右方向に隣り合う湾曲面５３に立てかけられた状態となり、底部５８から略垂直に立ち上がる姿勢で、後から８番目の左右いずれか一方の座部６０に最下の硬貨Ｃを接触させて載置される。
【００５２】
９本目の棒金Ｂを収納する場合、後から８番目の左右方向いずれか他方の座部６０に、この座部６０を加締部Ｋで覆うようにして９本目の棒金Ｂを載置させながら、この９本目の棒金Ｂの外周面を、その下側にある５，６本目のいずれか他方の棒金Ｂの外周面および７本目の棒金Ｂの外周面と、左右方向に隣り合う湾曲面５３とに支持させる。すると、この９本目の棒金Ｂは、５，６本目のいずれか他方の棒金Ｂ、７本目の棒金Ｂおよび左右方向に隣り合う湾曲面５３に立てかけられた状態となり、底部５８から略垂直に立ち上がる姿勢で、後から８番目の左右いずれか他方の座部６０に最下の硬貨Ｃを接触させて載置される。
【００５３】
ここで、傾斜支持部７１に取り付けられた端数収納用の棒金トレイ５０の棒金収納凹部５１に満杯に棒金Ｂを収納しても良い。この場合、１０本目の棒金Ｂを収納するに際して、後から１０番目つまり最も前側（上側）の座部６０に、この座部６０を加締部Ｋで覆うようにして１０本目の棒金Ｂを載置させながら、この１０本目の棒金Ｂの外周面を、その下側にある７〜９本目の棒金Ｂの外周面に支持させる。すると、この１０本目の棒金Ｂは、７〜９本目の棒金Ｂに立てかけられた状態となり、底部５８から略垂直に立ち上がる姿勢で、後から１０番目つまり最も前側の座部６０に最下の硬貨Ｃを接触させて載置される。
【００５４】
以上により、傾斜支持部７１に取り付けられた棒金トレイ５０の棒金収納凹部５１は、その底部５８から立ち上がる姿勢で棒金Ｂを収納することになり、言い換えれば、その壁部５５の底部５８からの延出方向に沿う姿勢で棒金Ｂを収納することになる。端数収納用の棒金トレイ５０は、底部５８が後下がりに傾斜していることから、棒金Ｂを底部５８から後上がりに延出する姿勢で収納させる。
【００５５】
傾斜支持部７１に取り付けられた棒金トレイ５０の棒金収納凹部５１から棒金Ｂを取り出す場合は、上記とは逆に、棒金収納凹部５１内の前側の棒金Ｂから順に取り出すことになる。これにより、棒金収納凹部５１内の残りの棒金Ｂの転倒を抑制しつつ棒金Ｂを取り出すことができる。つまり、後側の棒金Ｂを前側の棒金Ｂよりも先に取り出すと、前側の棒金Ｂを下側で支持する棒金Ｂがなくなることになってこの棒金Ｂが転倒してしまうことになるのである。
【００５６】
支持ベース４０は、各列の最も前側を除く満杯収納用の棒金トレイ５０を支持する水平支持部７２が水平に配置されており、この水平支持部７２に棒金トレイ５０の基板部６８が固定されている。
【００５７】
水平支持部７２に取り付けられた状態の満杯収納用の棒金トレイ５０の棒金収納凹部５１は、底部５８が水平に配置されており、その壁部５５が鉛直に配置されている。水平支持部７２に支持された満杯収納用の棒金トレイ５０の棒金収納凹部５１は、底部５８の最深面５９および座部６０の上面６１が水平に配置されており、その壁部５５の囲壁面５４が鉛直に配置されている。
【００５８】
このように支持ベース４０の水平支持部７２に取り付けられた棒金トレイ５０の棒金収納凹部５１に棒金Ｂを収納する場合、１０本の棒金Ｂをそれぞれ一本ずつ各座部６０に、座部６０を加締部Ｋで覆うようにして載置させる。１０本の棒金Ｂが各座部６０に載置されると、各棒金Ｂはその周囲にある壁部５５の湾曲面５３および他の棒金Ｂの外周面のうちの少なくともいずれか一方に接触して倒れが規制された状態で、対応する座部６０に最下の硬貨Ｃを接触させて載置される。満杯収納用の棒金トレイ５０の棒金収納凹部５１には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられて、それぞれ収納されるようになっている。
【００５９】
以上により、満杯収納用の棒金収納凹部５１も、その底部５８から立ち上がる姿勢で棒金Ｂを収納することになり、言い換えれば、その壁部５５の底部５８からの延出方向に沿う姿勢で棒金Ｂを収納することになる。満杯収納用の棒金トレイ５０は、壁部５５が底部５８から鉛直上方に延出していることから、棒金Ｂを壁部５５および他の棒金Ｂの少なくともいずれか一方で支持して鉛直に沿う姿勢、つまり中心軸線を上下方向に沿わせた立位姿勢で収納させる。
【００６０】
現金管理装置本体１１には、収納庫１２が現金管理装置本体１１に最も押し込まれた後端位置である全閉位置にあることを検知する図２に示す全閉検知センサ８０が収納庫１２のそれぞれに対して設けられている。全閉検知センサ８０は、収納庫１２が全閉位置にないこと、つまり収納庫１２が開位置にあることをも検知する。
【００６１】
加えて、現金管理装置本体１１には、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されたことが全閉検知センサ８０で検出されると、開指令信号を停止させることになり、この状態でロック機構２２は、収納庫１２が全閉位置に戻されると、収納庫１２を引き出し不可に自動的かつ機械的にロックする。制御部２５は、一の棒金収納庫１２（Ｃ）が現金管理装置本体１１から引き出されたことが全閉検知センサ８０で検出された後、この一の棒金収納庫１２（Ｃ）が全閉位置に戻されたことが全閉検知センサ８０で検出されると、この一の棒金収納庫１２（Ｃ）に収納された棒金Ｂの金種別の数を全ての磁気センサ６５の検出結果から把握して、記憶部２６に直前の取引内容とともに記憶し、表示部１７に表示させる。
【００６２】
つまり、制御部２５は、磁気センサ６５が検出したデータが、記憶部２６に記憶された１円硬貨の棒金Ｂの判定範囲内にあれば、この磁気センサ６５が設けられた座部６０に１円硬貨の棒金Ｂが載置されていると判定する。また、制御部２５は、磁気センサ６５が検出したデータが、記憶部２６に記憶された５円硬貨の棒金Ｂの判定範囲内にあれば、この磁気センサ６５が設けられた座部６０に５円硬貨の棒金Ｂが載置されていると判定する。また、制御部２５は、磁気センサ６５が検出したデータが、記憶部２６に記憶された１０円硬貨の棒金Ｂの判定範囲内にあれば、この磁気センサ６５が設けられた座部６０に１０円硬貨の棒金Ｂが載置されていると判定する。また、制御部２５は、磁気センサ６５が検出したデータが、記憶部２６に記憶された５０円硬貨の棒金Ｂの判定範囲内にあれば、この磁気センサ６５が設けられた座部６０に５０円硬貨の棒金Ｂが載置されていると判定する。また、制御部２５は、磁気センサ６５が検出したデータが、記憶部２６に記憶された１００円硬貨の棒金Ｂの判定範囲内にあれば、この磁気センサ６５が設けられた座部６０に１００円硬貨の棒金Ｂが載置されていると判定する。また、制御部２５は、磁気センサ６５が検出したデータが、記憶部２６に記憶された５００円硬貨の棒金Ｂの判定範囲内にあれば、この磁気センサ６５が設けられた座部６０に５００円硬貨の棒金Ｂが載置されていると判定する。
【００６３】
他方、制御部２５は、磁気センサ６５が検出したデータが、いずれの金種の棒金Ｂの判定範囲内にもなければ、座部６０に棒金Ｂが載置されていないと判定する。
【００６４】
また、制御部２５は、各棒金トレイ５０に収納すべき設定金種以外の棒金Ｂが収納されている誤収納を検出する。つまり、すべての磁気センサ６５について検出されるべき棒金の金種データ、つまり磁気センサ６５が設けられた座部６０の載置対象棒金の金種データが、予め記憶部２６に記憶されており、制御部２５は、このデータと各棒金トレイ５０の各磁気センサ６５の検出結果とを比較する。そして、制御部２５は、磁気センサ６５で検出されるべき金種の棒金Ｂが磁気センサ６５で検出されれば、収納が適正であると判定し、磁気センサ６５で検出されるべき金種の棒金Ｂとは異なる金種の棒金Ｂが磁気センサ６５で検出されれば、収納が適正でない誤収納であると判定する。例えば、検出されるべき棒金Ｂの金種が１００円硬貨であると記憶部２６の記憶内容から把握した座部６０に、磁気センサ６５の検出結果から１０円硬貨の棒金Ｂが載置されていることを検出すると、誤収納とする。この場合、制御部２５は、誤収納の内容（棒金Ｂが誤収納されている座部６０の位置情報と、誤収納の金種と、適正な金種とを含む内容）を表示部１７に表示させる等して操作者に報知する。
【００６５】
以上に述べた第１実施形態に係る現金管理装置１０によれば、棒金収納庫１２（Ｃ）に設けられる棒金収納凹部５１は、底部５８と、この底部５８の周縁部から底部５８に垂直に延出する壁部５５とを有して１カ所に複数本の棒金Ｂを底部５８から立ち上がる姿勢で収納可能となっている。そして、この棒金収納凹部５１が底部５８を水平に対し傾斜させており、その結果、壁部５５を鉛直に対し傾斜させている。これにより、棒金収納凹部５１に満杯に棒金Ｂを収納しなくても、棒金Ｂは、底部５８の傾斜の下側に位置する壁部５５あるいは他の棒金Ｂに当接して立てかけられた状態となり、底部５８の傾斜の上側への倒れが抑制される。よって、棒金収納凹部５１の中間位置に棒金Ｂの倒れを抑制する部品を設けなくても棒金Ｂの倒れを抑制することができる。したがって、コストを低減することが可能となる。
【００６６】
また、１つの棒金収納庫１２（Ｃ）に設けられる収納対象金種が同一金種である複数の棒金収納凹部５１のうち、前端の１つの棒金収納凹部５１が底部５８を水平に対し傾斜させており、他が底部５８を水平に配置しているため、底部５８を水平に対し傾斜させている棒金収納凹部５１を満杯状態にならない端数の棒金Ｂの収納用とし、底部５８を水平に配置している棒金収納凹部５１を満杯状態の棒金Ｂの収納用とすることができる。これにより、棒金収納凹部５１を満杯状態にできない端数の棒金Ｂの倒れを抑制しつつ、満杯状態の棒金Ｂをまとめて取り出す作業の作業性を向上させることができる。
【００６７】
また、同一金種用であれば、棒金収納凹部５１の底部５８を水平に対し傾斜させている棒金トレイ５０と、棒金収納凹部５１の底部５８を水平に配置している棒金トレイ５０とが、共通部品となっているため、部品の製造コストおよび管理コストを低減することが可能になる。
【００６８】
また、底部５８を水平に対し傾斜させている棒金収納凹部５１は、底部５８を、引き出し方向後側（奥側）ほど下側に位置する後下がりに傾斜させているため、棒金Ｂは、棒金収納庫１２（Ｃ）の引き出し方向の後側（奥側）へ寄せられて収納されることになる。よって、棒金収納庫１２（Ｃ）の引き出し方向の前側にある棒金Ｂから取り出せば残りの棒金Ｂを倒さずに棒金Ｂを取り出すことができる。したがって、棒金Ｂを円滑に取り出すことができ、使い勝手性が向上する。
【００６９】
なお、第１実施形態においては、１つの棒金収納庫１２（Ｃ）に設けられる収納対象金種が同一金種である複数の棒金収納凹部５１のうち、前端の１つの棒金収納凹部５１が底部５８を水平に対し傾斜させており、残りの複数の他の棒金収納凹部５１が底部５８を水平に配置している場合を例にとり説明した。しかしながら、これら棒金収納凹部５１のうち、少なくとも１つが底部５８を水平に対し傾斜させており、少なくとも他の１つが底部５８を水平に配置していれば、それぞれの数は適宜設定することができる。例えば、同一金種用の前端から複数カ所の棒金収納凹部５１について底部５８を水平に対し傾斜させ、残りの棒金収納凹部５１について底部５８を水平に配置しても良い。また、複数列が同一金種用である場合には、１列の前端の棒金トレイ５０のみ、端数収納用として棒金収納凹部５１の底部５８を水平に対し傾斜させ、他の列の前端の棒金トレイ５０を満杯収納用として棒金収納凹部５１の底部５８を水平に配置しても良い。
【００７０】
次に、本発明の第２実施形態に係る現金管理装置を主に図５を参照して第１実施形態との相違部分を中心に以下に説明する。
【００７１】
第２実施形態において、端数収納用の棒金トレイ５０は、その底部５８を水平に対して第１実施形態とは相違する方向に傾斜させて支持ベース４０Ａに取り付けられている。この端数収納用の棒金トレイ５０と共通部品が用いられる満杯収納用の棒金トレイ５０は、第１実施形態と同様、その底部５８を水平に配置して支持ベース４０Ａの第１実施形態と同様の水平支持部７２に取り付けられている。
【００７２】
支持ベース４０Ａは、各列の最も前側の端数収納用の棒金トレイ５０を支持する傾斜支持部７１Ａが、前後方向から見て水平に対し傾斜しない状態で、前下がりに傾斜しており、この傾斜支持部７１Ａに棒金トレイ５０の基板部６８が固定されている。このとき、棒金トレイ５０は、第１実施形態と同様に、１０カ所の座部６０が、前後１列に並ぶ左側の３カ所と、前後１列に並ぶ左右方向中央の４カ所と、前後１列に並ぶ右側の３カ所とに配置される状態となっている。
【００７３】
傾斜支持部７１Ａに取り付けられた状態の端数収納用の棒金トレイ５０の棒金収納凹部５１は、その底部５８が、前後方向から見て水平に対し傾斜しない状態で、棒金収納庫１２（Ｃ）の引き出し方向を基準として前下がりに傾斜しており、その壁部５５が、前後方向から見て鉛直に対し傾斜しない状態で、棒金収納庫１２（Ｃ）の引き出し方向を基準として前上がりに傾斜している。つまり、端数収納用の棒金トレイ５０は、その底部５８が前側ほど下側に位置するように傾斜しており、その壁部５５が前側ほど上側に位置するように傾斜している。傾斜支持部７１Ａに支持された棒金トレイ５０は、底部５８が水平に対し４５度より小さい角度（例えば３０度）をなすように傾斜している。傾斜支持部７１Ａに支持された端数収納用の棒金トレイ５０は、底部５８の最深面５９および座部６０の上面６１が、前後方向から見て水平に対し傾斜しない状態で前下がりに傾斜しており、その壁部５５の囲壁面５４が、前後方向から見て鉛直に対し傾斜しない状態で前上がりに傾斜している。
【００７４】
このように傾斜支持部７１Ａに取り付けられた棒金トレイ５０の棒金収納凹部５１に棒金Ｂを収納する場合、第１実施形態と同様に下側にある座部６０から順に載置させる。ここで、第２実施形態の傾斜支持部７１Ａに取り付けられた棒金トレイ５０は、底部５８が前下がりに傾斜しており、第１実施形態の傾斜支持部７１に取り付けられた棒金トレイ５０は、底部５８が逆に後下がりに傾斜している。よって、第２実施形態において、第１実施形態と同様に下側にある座部６０から順に棒金Ｂを載置させると、第１実施形態とは前後が逆になる。つまり、第２実施形態では、端数収納用の棒金トレイ５０の棒金収納凹部５１に棒金Ｂを収納する場合、最も前側の座部６０から順に棒金Ｂを載置させることになる。端数収納用の棒金トレイ５０は、底部５８が前下がりに傾斜していることから、棒金Ｂを底部５８から前上がりに延出する姿勢で収納させる。
【００７５】
傾斜支持部７１Ａに取り付けられた棒金トレイ５０の棒金収納凹部５１から棒金Ｂを取り出す場合は、棒金収納凹部５１内の後側の棒金Ｂから順に取り出すことになる。これにより、棒金収納凹部５１内の残りの棒金Ｂの転倒を抑制しつつ棒金Ｂを取り出すことができる。
【００７６】
以上に述べた第２実施形態に係る現金管理装置１０によれば、端数収納用の棒金収納凹部５１は、底部５８を前下がりに傾斜させているため、すべての棒金Ｂの上面が前方から目視可能となる。よって、棒金Ｂの収納数の前方からの目視確認が容易となる。したがって、使い勝手性が向上する。
【００７７】
次に、本発明の第３実施形態に係る現金管理装置を主に図６を参照して第１実施形態との相違部分を中心に以下に説明する。
【００７８】
第３実施形態において、端数収納用の棒金トレイ５０は、その底部５８を水平に対して第１実施形態とは相違する方向に傾斜させて支持ベース４０Ｂに取り付けられている。この端数収納用の棒金トレイ５０と共通部品が用いられる満杯収納用の棒金トレイ５０は、図６においては図示を略すが、その底部５８を水平に配置して支持ベース４０Ｂに取り付けられている。
【００７９】
支持ベース４０Ｂは、左右方向左側の列の最も前側の端数収納用の棒金トレイ５０を支持する傾斜支持部７１Ｂが、左右方向から見て水平に対し傾斜しない状態で、前方から見て左下がりに傾斜しており、左右方向右側の列の最も前側の端数収納用の棒金トレイ５０を支持する傾斜支持部７３Ｂが、左右方向から見て水平に対し傾斜しない状態で前方から見て右下がりに傾斜している。そして、これらの傾斜支持部７１Ｂおよび傾斜支持部７３Ｂにそれぞれ共通部品である棒金トレイ５０が基板部６８において固定されている。ここで、棒金トレイ５０は、傾斜支持部７１Ｂ，７３Ｂのいずれに取り付けられる場合も、１０カ所の座部６０が、左右１列に並ぶ前側の３カ所と、左右１列に並ぶ前後方向中央の４カ所と、左右１列に並ぶ後側の３カ所とに配置される状態となる。
【００８０】
傾斜支持部７１Ｂに取り付けられた状態の端数収納用の棒金トレイ５０の棒金収納凹部５１は、その底部５８が、左右方向から見て水平に対し傾斜しない状態で、棒金収納庫１２（Ｃ）の引き出し方向の前方から見て左下がりに傾斜しており、その壁部５５が左右方向から見て鉛直に対し傾斜しない状態で、棒金収納庫１２（Ｃ）の引き出し方向の前方から見て左上がりに傾斜している。つまり、傾斜支持部７１Ｂに取り付けられた棒金トレイ５０は、その底部５８が左側ほど下側に位置するように傾斜しており、その壁部５５が左側ほど上側に位置するように傾斜している。傾斜支持部７１Ｂに支持された棒金トレイ５０は、底部５８が水平に対し４５度より小さい角度（例えば３０度）をなすように傾斜している。傾斜支持部７１Ｂに支持された棒金トレイ５０は、底部５８の最深面５９および座部６０の上面６１が、左右方向から見て水平に対し傾斜しない状態で、前方から見て左下がりに傾斜しており、その壁部５５の囲壁面５４が、左右方向から見て鉛直に対し傾斜しない状態で、前方から見て左上がりに傾斜している。
【００８１】
このように傾斜支持部７１Ｂに取り付けられた棒金トレイ５０の棒金収納凹部５１に棒金Ｂを収納する場合、第１実施形態と同様に下側にある座部６０から順に載置させる。ここで、第３実施形態の傾斜支持部７１Ｂに取り付けられた棒金トレイ５０の棒金収納凹部５１は、底部５８が左下がりに傾斜している。よって、第３実施形態において、第１実施形態と同様に下側にある座部６０から順に棒金Ｂを載置させると、傾斜支持部７１Ｂに取り付けられた棒金トレイ５０の棒金収納凹部５１には、最も左側の座部６０から順に棒金Ｂを載置させることになる。傾斜支持部７１Ｂに取り付けられた棒金トレイ５０の棒金収納凹部５１は、底部５８が左下がりに傾斜していることから、棒金Ｂを底部５８から左上がりに延出する姿勢で収納させる。
【００８２】
傾斜支持部７１Ｂに取り付けられた棒金トレイ５０の棒金収納凹部５１から棒金Ｂを取り出す場合は、棒金収納凹部５１内の右側の棒金Ｂから順に取り出すことになる。これにより、棒金収納凹部５１内の残りの棒金Ｂの転倒を抑制しつつ棒金Ｂを取り出すことができる。
【００８３】
傾斜支持部７３Ｂに取り付けられた状態の端数収納用の棒金トレイ５０の棒金収納凹部５１は、その底部５８が、左右方向から見て水平に対し傾斜しない状態で、棒金収納庫１２（Ｃ）の引き出し方向の前方から見て右下がりに傾斜しており、その壁部５５が左右方向から見て鉛直に対し傾斜しない状態で、棒金収納庫１２（Ｃ）の引き出し方向の前方から見て右上がりに傾斜している。つまり、傾斜支持部７３Ｂに取り付けられた棒金トレイ５０の棒金収納凹部５１は、その底部５８が右側ほど下側に位置するように傾斜しており、その壁部５５が右側ほど上側に位置するように傾斜している。傾斜支持部７３Ｂに支持された棒金トレイ５０は、底部５８が水平に対し４５度より小さい角度（例えば３０度）をなすように傾斜している。傾斜支持部７３Ｂに支持された棒金トレイ５０の棒金収納凹部５１は、底部５８の最深面５９および座部６０の上面６１が、左右方向から見て水平に対し傾斜しない状態で、前方から見て右下がりに傾斜しており、その壁部５５の囲壁面５４が、左右方向から見て鉛直に対し傾斜しない状態で、前方から見て右上がりに傾斜している。
【００８４】
このように傾斜支持部７３Ｂに取り付けられた棒金トレイ５０の棒金収納凹部５１に棒金Ｂを収納する場合、第１実施形態と同様に下側にある座部６０から順に載置させる。ここで、第３実施形態の傾斜支持部７３Ｂに取り付けられた棒金トレイ５０の棒金収納凹部５１は、底部５８が右下がりに傾斜している。よって、第３実施形態において、第１実施形態と同様に下側にある座部６０から順に載置させると、最も右側の座部６０から順に棒金Ｂを載置させることになる。傾斜支持部７３Ｂに取り付けられた棒金トレイ５０の棒金収納凹部５１は、底部５８が右下がりに傾斜していることから、棒金Ｂを底部５８から右上がりに延出する姿勢で収納させる。
【００８５】
傾斜支持部７３Ｂに取り付けられた棒金トレイ５０の棒金収納凹部５１から棒金Ｂを取り出す場合は、棒金収納凹部５１内の左側の棒金Ｂから順に取り出すことになる。これにより、棒金収納凹部５１内の残りの棒金Ｂの転倒を抑制しつつ棒金Ｂを取り出すことができる。
【００８６】
以上に述べた第３実施形態に係る現金管理装置１０によれば、左側の傾斜支持部７１Ｂに取り付けられた端数収納用の棒金トレイ５０の棒金収納凹部５１は、棒金収納庫１２（Ｃ）の引き出し方向の前方から見て底部５８を左下がりに傾斜させているため、すべての棒金Ｂの上面が左方から目視可能となる。よって、左方からの棒金Ｂの収納数の目視確認が容易となる。したがって、左側にいる操作者の使い勝手性が向上する。
【００８７】
また、右側の傾斜支持部７３Ｂに取り付けられた端数収納用の棒金トレイ５０の棒金収納凹部５１は、棒金収納庫１２（Ｃ）の引き出し方向の前方から見て底部５８を右下がりに傾斜させているため、すべての棒金Ｂの上面が右方から目視可能となる。よって、右方からの棒金Ｂの収納数の目視確認が容易となる。したがって、右側にいる操作者の使い勝手性が向上する。
【００８８】
つまり、第３実施形態に係る現金管理装置１０は、左側の傾斜支持部７１Ｂに取り付けられた棒金トレイ５０の棒金収納凹部５１と、右側の傾斜支持部７３Ｂに取り付けられた棒金トレイ５０の棒金収納凹部５１とに、例えば同一金種の棒金Ｂを収納する設定とすれば、これを左右両側で操作者が操作する可能性が高い場合に使い勝手性が向上する。
【００８９】
なお、第３実施形態においては、左右両側の端数収納用の棒金トレイ５０のそれぞれの底部５８を左下がりに傾斜させても良く、逆に、左右両側の端数収納用の棒金トレイ５０のそれぞれの底部５８を右下がりに傾斜させても良い。また、端数収納用の棒金トレイ５０を一つのみ設けて底部５８を左下がりに傾斜させても良く、端数収納用の棒金トレイ５０を一つのみ設けて底部５８を右下がりに傾斜させても良い。
【００９０】
また、第１〜第３実施形態においては、収納対象金種が同一金種である場合、形状および大きさが同じ共通部品の棒金トレイ５０が端数収納用と満杯収納用とに用いられる場合を例にとり説明したが、端数収納用の棒金トレイと満杯収納用の棒金トレイとが異なっていても良い。
【００９１】
また、第１〜第３実施形態において、水平に対し傾斜する底部５８の角度は、上記に限らず、任意に設定することができる。
【００９２】
また、第１〜第３実施形態においては、１カ所の棒金収納凹部５１に最大１０本の棒金Ｂを収納する場合を例にとり説明したが、１カ所の棒金収納凹部に１０本以外の複数本の棒金Ｂを収納する場合にも適用可能である。つまり、１カ所の棒金収納凹部に１０本よりも少ない例えば最大５本の棒金Ｂを収納する場合や、１カ所の棒金収納凹部に１０本よりも多い例えば最大２０本の棒金Ｂを収納する場合にも適用可能である。
【００９３】
また、第１〜第３実施形態を適宜組み合わせても良い。つまり、１つの棒金収納庫１２（Ｃ）に、底部５８を後下がりに傾斜させている棒金収納凹部５１と、底部５８を前下がりに傾斜させている棒金収納凹部５１と、底部５８を左下がりに傾斜させている棒金収納凹部５１と、底部５８を右下がりに傾斜させている棒金収納凹部５１との中から、適宜のものを選択して複数組み合わせて設けることが可能である。
【００９４】
ここで、参考技術ではあるが、端数収納用の棒金トレイの１カ所の棒金収納凹部に１０本よりも少ない例えば最大５本の棒金Ｂを収納する場合に、図７，図８に示すように、端数収納用の棒金収納凹部５１Ｃ，５１Ｄに棒金Ｂを左右方向に並べて寝かせた状態で収納するようにしても良い。この場合、図７に示すように端数収納用の棒金収納凹部５１Ｃが、棒金収納庫１２（Ｃ）の引き出し方向の前方から見て底部５８Ｃを左下がりに傾斜させ、壁部５５Ｃを底部５８Ｃに対し垂直に左上がりに傾斜させても良い。あるいは、図８に示すように端数収納用の棒金収納凹部５１Ｄが、棒金収納庫１２（Ｃ）の引き出し方向の前方から見て底部５８Ｄを右下がりに傾斜させ、壁部５５Ｄを底部５８Ｄに対し垂直に右上がりに傾斜させても良い。勿論、棒金収納凹部５１Ｃと棒金収納凹部５１Ｄとを１つの棒金収納庫１２（Ｃ）に左右に並べても良く、棒金収納凹部５１Ｃを複数、１つの棒金収納庫１２（Ｃ）に左右に並べても良く、棒金収納凹部５１Ｄを複数、１つの棒金収納庫１２（Ｃ）に左右に並べても良い。これらの場合も、満杯収納用の棒金トレイ５０は、第１実施形態と同様とすることができる。
【符号の説明】
【００９５】
１０  現金管理装置
１１  現金管理装置本体
１２  収納庫
１２（Ｃ）  棒金収納庫
５０  棒金トレイ
５１  棒金収納凹部
５５  壁部
５８  底部
Ｂ  棒金
【図１】
0006489683.tif 000002
【図２】
0006489683.tif 000003
【図３】
0006489683.tif 000004
【図４】
0006489683.tif 000005
【図５】
0006489683.tif 000006
【図６】
0006489683.tif 000007
【図７】
0006489683.tif 000008
【図８】
0006489683.tif 000009